(57)【要約】【課題】効率的に上りリンク制御情報を伝送することができる【解決手段】端末装置は、１つのサービングセルにおける１つのサブフレームにおける複数のｓＰＵＳＣＨをスケジュールするために用いられる複数の上りリンクグラントを受信し、前記複数のｓＰＵＳＣＨのうち、最初に送信が開始される１つを用いて上りリンク制御情報を送信する。この発明によれば、端末装置は効率的に上りリンク制御情報を送信することができる。また、基地局装置は効率的に上りリンク制御情報を受信することができる。【選択図】図７
2019110358.tif 000002
【特許請求の範囲】
【請求項１】
１つのサービングセルにおける１つのサブフレームにおける複数のｓＰＵＳＣＨをスケジュールするために用いられる複数の上りリンクグラントを受信する受信部と、
前記複数のｓＰＵＳＣＨのうち、最初に送信が開始される１つを用いて上りリンク制御情報を送信する送信部と、を備える
端末装置。
【請求項２】
前記最初に送信が開始される１つを除く前記複数のｓＰＵＳＣＨを用いて、上りリンク制御情報をともなわない上りリンクデータが送信される
請求項１の端末装置。
【請求項３】
前記複数のｓＰＵＳＣＨは、同時に送信されない
請求項１の端末装置。
【請求項４】
前記上りリンク制御情報は、周期的なチャネル状態情報報告、および／または、ＨＡＲＱ−ＡＣＫを含む
請求項１の端末装置。
【請求項５】
１つのサービングセルにおける１つのサブフレームにおける複数のｓＰＵＳＣＨをスケジュールするために用いられる複数の上りリンクグラントを送信する送信部と、
前記複数のｓＰＵＳＣＨのうち、最初に送信が開始される１つを用いて上りリンク制御情報を受信する受信部と、を備える
基地局装置。
【請求項６】
前記最初に送信が開始される１つを除く前記複数のｓＰＵＳＣＨを用いて、上りリンク制御情報をともなわない上りリンクデータが受信される
請求項５の基地局装置。
【請求項７】
前記複数のｓＰＵＳＣＨは、同時に受信されない
請求項６の基地局装置。
【請求項８】
前記上りリンク制御情報は、周期的なチャネル状態情報報告、および／または、ＨＡＲＱ−ＡＣＫを含む
請求項７の基地局装置。
【請求項９】
端末装置に用いられる通信方法であって、
１つのサービングセルにおける１つのサブフレームにおける複数のｓＰＵＳＣＨをスケジュールするために用いられる複数の上りリンクグラントを受信し、
前記複数のｓＰＵＳＣＨのうち、最初に送信が開始される１つを用いて上りリンク制御情報を送信する
通信方法。
【請求項１０】
基地局装置に用いられる通信方法であって、
１つのサービングセルにおける１つのサブフレームにおける複数のｓＰＵＳＣＨをスケジュールするために用いられる複数の上りリンクグラントを送信し、
前記複数のｓＰＵＳＣＨのうち、最初に送信が開始される１つを用いて上りリンク制御情報を受信する
通信方法。
【請求項１１】
端末装置に実装される集積回路であって、
１つのサービングセルにおける１つのサブフレームにおける複数のｓＰＵＳＣＨをスケジュールするために用いられる複数の上りリンクグラントを受信する受信回路と、
前記複数のｓＰＵＳＣＨのうち、最初に送信が開始される１つを用いて上りリンク制御情報を送信する送信回路と、を備える
集積回路。
【請求項１２】
基地局装置に実装される集積回路であって、
１つのサービングセルにおける１つのサブフレームにおける複数のｓＰＵＳＣＨをスケジュールするために用いられる複数の上りリンクグラントを送信する送信回路と、
前記複数のｓＰＵＳＣＨのうち、最初に送信が開始される１つを用いて上りリンク制御情報を受信する受信回路と、を備える
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装
置がカバーするエリアをセル状に複数配置するセルラー通信システムである。単一の基地局装置は複数のセルを管理してもよい。
【０００３】
ＬＴＥリリース１３において、ＰＵＳＣＨおよびＰＵＣＣＨが上りリンク制御情報が伝送することが仕様化されている（非特許文献１、２、３、４）。非特許文献５において、ＴＴＩ（Transmission Time Interval）の短縮、および、処理時間の削減について検討されている。非特許文献６において、ｓＰＵＣＣＨ、および、ｓＰＵＳＣＨがチャネル状態情報およびＨＡＲＱ−ＡＣＫ（Hybrid Automatic Repeat reQuest-ACKnowledgement）を
伝送することが検討されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"3GPP TS 36.300 V13.2.0 (2015-12)", 13th January, 2015.
【非特許文献５】"New SI proposal: Study on Latency reduction techniques for LTE", RP-150465, Ericsson, Huawei, 3GPP TSG RAN Meeting#67, Shanghai, China, 9th - 12th March 2015.
【非特許文献６】" Physical layer aspects for PUSCH for short TTI", R1-163320, Ericsson, 3GPP TSG RAN WG1 Meeting#84 bis, Busan, 11th - 15th April 2016.
【発明の概要】
【発明が解決しようとする課題】
【０００５】
本発明は、効率的に上りリンク制御情報を送信することができる端末装置、該端末装置に用いられる通信方法、該端末装置に実装される集積回路、効率的に上りリンク制御情報を受信することができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、１つのサービングセルにおける１つのサブフレームにおける複数のｓＰＵＳＣＨをスケジュールするために用いられる複数の上りリンクグラントを受信する受信部と、前記複数のｓＰＵＳＣＨのうち、最初に送信が開始される１つを用いて上りリンク制御情報を送信する送信部と、を備える。
【０００７】
（２）本発明の第２の態様は、基地局装置であって、１つのサービングセルにおける１つのサブフレームにおける複数のｓＰＵＳＣＨをスケジュールするために用いられる複数
の上りリンクグラントを送信する送信部と、前記複数のｓＰＵＳＣＨのうち、最初に送信が開始される１つを用いて上りリンク制御情報を受信する受信部と、を備える。
【０００８】
（３）本発明の第３の態様は、端末装置に用いられる通信方法であって、１つのサービングセルにおける１つのサブフレームにおける複数のｓＰＵＳＣＨをスケジュールするために用いられる複数の上りリンクグラントを受信し、前記複数のｓＰＵＳＣＨのうち、最初に送信が開始される１つを用いて上りリンク制御情報を送信する。
【０００９】
（４）本発明の第４の態様は、基地局装置に用いられる通信方法であって、１つのサービングセルにおける１つのサブフレームにおける複数のｓＰＵＳＣＨをスケジュールするために用いられる複数の上りリンクグラントを送信し、前記複数のｓＰＵＳＣＨのうち、最初に送信が開始される１つを用いて上りリンク制御情報を受信する。
【００１０】
（５）本発明の第５の態様は、端末装置に実装される集積回路であって、１つのサービングセルにおける１つのサブフレームにおける複数のｓＰＵＳＣＨをスケジュールするために用いられる複数の上りリンクグラントを受信する受信回路と、前記複数のｓＰＵＳＣＨのうち、最初に送信が開始される１つを用いて上りリンク制御情報を送信する送信回路と、を備える。
【００１１】
（６）本発明の第６の態様は、基地局装置に実装される集積回路であって、１つのサービングセルにおける１つのサブフレームにおける複数のｓＰＵＳＣＨをスケジュールするために用いられる複数の上りリンクグラントを送信する送信回路と、前記複数のｓＰＵＳＣＨのうち、最初に送信が開始される１つを用いて上りリンク制御情報を受信する受信回路と、を備える。
【発明の効果】
【００１２】
この発明によれば、端末装置は効率的に上りリンク制御情報を送信することができる。また、基地局装置は効率的に上りリンク制御情報を受信することができる。
【図面の簡単な説明】
【００１３】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態におけるＴＴＩおよびｓＴＴＩの一例を示す図である。
【図５】本実施形態の下りリンクにおける物理チャネルの割り当ての一例を示す図である。
【図６】本実施形態の上りリンクにおける物理チャネルの割り当ての一例を示す図である。
【図７】本発明における端末装置１の構成を示す概略ブロック図である。
【図８】本発明における符号化部１０７１の構成を示す概略ブロック図である。
【図９】本実施形態における符号化変調シンボルのインタリーブの方法の一例を示す図である。
【図１０】本発明における基地局装置３の構成を示す概略ブロック図である。
【図１１】本実施形態におけるＰＵＣＣＨ／ＰＵＳＣＨ／ｓＰＵＳＣＨに対する処理期間の一例を示す図である。
【図１２】本実施形態におけるチャネルのドロップ／選択の一例を示す図である。
【図１３】本実施形態におけるチャネルのドロップ／選択の一例を示す図である。
【図１４】本実施形態におけるチャネルのドロップ／選択の一例を示す図である。
【図１５】本実施形態におけるチャネルのドロップ／選択の一例を示す図である。
【図１６】本実施形態におけるチャネルのドロップ／選択の一例を示す図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。
【００１８】
複数のサービングセルは、少なくとも１つのプライマリセルを含む。複数のサービングセルは、１つ、または、複数のセカンダリセルを含んでもよい。プライマリセルは、初期コネクション確立（initial connection establishment）手順が行なわれたサービングセル、コネクション再確立（connection re-establishment）手順を開始したサービングセ
ル、または、ハンドオーバ手順においてプライマリセルと指示されたセルである。ＲＲＣ（Radio Resource Control）コネクションが確立された時点、または、後に、セカンダリセルが設定されてもよい。
【００１９】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２０】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２１】
本実施形態の物理チャネルおよび物理信号について説明する。
【００２２】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ｓＰＵＣＣＨ（shortened Physical Uplink Control Channel）
・ＰＵＳＣＨ（Physical Uplink Shared Channel）
・ｓＰＵＳＣＨ（shortened Physical Uplink Shared Channel）
ＰＵＣＣＨ、および、ｓＰＵＣＣＨは、上りリンク制御情報（Uplink Control Information: UCI）を送信するために用いられる。本実施形態において、端末装置１は、プライ
マリセルのみにおいてＰＵＣＣＨの送信を行ってもよい。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transp
ort block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、
ＡＣＫ（acknowledgement）またはＮＡＣＫ（negative-acknowledgement）を示す。ＨＡ
ＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。
【００２３】
ＰＵＳＣＨ、および、ｓＰＵＳＣＨは、上りリンクデータ（Transport block, Medium Access Control Protocol Data Unit: MAC PDU, Uplink-Shared Channel: UL-SCH）を送
信するために用いられてもよい。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２４】
非周期的なチャネル状態情報報告は、ＰＵＳＣＨ／ｓＰＵＳＣＨ送信に対応する上りリンクグラントに含まれるフィールドによってトリガーされる。周期的なチャネル状態情報報告は、ＲＲＣシグナリング（上位層のパラメータ）によってトリガーされる。非周期的なチャネル状態情報報告のために、ＰＵＳＣＨが用いられる。周期的なチャネル状態情報報告のために、ＰＵＳＣＨまたはＰＵＣＣＨが用いられる。
【００２５】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＥＰＤＣＣＨ（Enhanced Physical Downlink Control Channel）
・ｓＰＤＣＣＨ（shortened Physical Downlink Control Channel）
・ＰＤＳＣＨ（Physical Downlink Shared Channel）
・ｓＰＤＳＣＨ（shortened Physical Downlink Shared Channel）
ＰＤＣＣＨ、ＥＰＤＣＣＨ、および、ｓＰＤＣＣＨは、下りリンク制御情報（Downlink
Control Information: DCI）を送信するために用いられる。下りリンク制御情報を、Ｄ
ＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００２６】
１つの下りリンクグラントは、１つのセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。１つの下りリンクグラントは、１つのセル内の１つのｓＰＤＳＣＨのスケジューリングに用いられてもよい。下りリンクグラントは、該下りリンクグラントが送信されたｓＴＴＩ（shortened Transmission Time Interval）と同じｓＴＴＩ内のｓＰＤＳＣＨのスケジューリングに用いられてもよい。
【００２７】
１つの上りリンクグラントは、１つのセル内の１つのＰＵＳＣＨのスケジューリングに用いられてもよい。上りリンクグラントは、該上りリンクグラントが送信されたサブフレームより４つ以上後のサブフレーム内の１つのＰＵＳＣＨのスケジューリングに用いられてもよい。１つの上りリンクグラントは、１つのセル内の１つのｓＰＵＳＣＨのスケジューリングに用いられてもよい。上りリンクグラントは、該上りリンクグラントが送信されたｓＴＴＩより後のｓＴＴＩ内の１つのｓＰＵＳＣＨのスケジューリングに用いられても
よい。
【００２８】
ＰＤＳＣＨ、および、ｓＰＤＳＣＨは、下りリンクデータ（Downlink Shared Channel:
DL-SCH）を送信するために用いられる。
【００２９】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に変調処理、および、符号化処理が行なわれる。１つのコードワードは、１つ、または、複数のレイヤにマップされる。
【００３０】
以下、本実施形態の無線フレーム（radio frame）の構成の一例について説明する。図
２は、本実施形態の無線フレームの概略構成を示す図である。無線フレームのそれぞれは、１０ｍｓ長である。図２において、横軸は時間軸である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。つまり、１０ｍｓ間隔のそれぞれにおいて、１０個のサブフレームが利用できる。サブフレームをＴＴＩ（Transmission Time Intervalとも称する。）
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００３１】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３２】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００３３】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００３４】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい
。サブキャリア間隔Δfはチャネル毎、および／または、ＴＴＩ／ｓＴＴＩ毎に異なって
もよい。
【００３５】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB-1）が付けられる。
【００３６】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００３７】
図４は、本実施形態におけるＴＴＩおよびｓＴＴＩの一例を示す図である。ＴＴＩは、２×NULsymbのＳＣ−ＦＤＭＡシンボルから構成されてもよい。ｓＴＴＩを構成するＳＣ
−ＦＤＭＡシンボルの数は、｛２、３、４、７｝の何れかである。ＸのＳＣ−ＦＤＭＡシンボルから構成されるＴＴＩ／ｓＴＴＩをＸシンボルＴＴＩとも称する。下りリンクにおいて、ＴＴＩ、および、ｓＴＴＩは、複数のＯＦＤＭシンボルから構成されてもよい。
【００３８】
図５は、本実施形態の下りリンクにおける物理チャネルの割り当ての一例を示す図である。
【００３９】
ｓＰＵＣＣＨの長さ、および、ｓＰＵＳＣＨの長さは個別に制御されてもよい。ｓＰＵＣＣＨで伝送される情報に基づいて、ｓＰＵＣＣＨの長さが決定されてもよい。ｓＰＵＳＣＨで伝送される情報に基づいて、ｓＰＵＣＳＨの長さが決定されてもよい。
【００４０】
図６は、本実施形態の上りリンクにおける物理チャネルの割り当ての一例を示す図である。ＰＵＣＣＨ６００、６０１、および、ｓＰＵＣＣＨ６０２−６０５に対して、周波数ホッピングが適用される。サブフレーム／ＴＴＩにおいて、ＰＵＳＣＨ、および、ＰＵＣＣＨは、２×NULsymbのＳＣ−ＦＤＭＡシンボルにマップされてもよい。４シンボルＴＴ
Ｉにおいて、ｓＰＵＳＣＨは４つのＳＣ−ＦＤＭＡシンボルにマップされてもよい。３シンボルＴＴＩにおいて、ｓＰＵＳＣＨは３つのＳＣ−ＦＤＭＡシンボルにマップされてもよい。７シンボルＴＴＩにおいて、ｓＰＵＣＣＨは７つのＳＣ−ＦＤＭＡシンボルにマップされてもよい。ＸシンボルＴＴＩにおけるＸのＳＣ−ＦＤＭＡシンボルにマップされるｓＰＵＳＣＨを、ＸシンボルｓＰＵＳＣＨとも称する。ＸシンボルＴＴＩにおけるＸのＳＣ−ＦＤＭＡシンボルにマップされるｓＰＵＣＣＨを、ＸシンボルｓＰＵＣＣＨとも称する。
【００４１】
以下、本発明の端末装置１の装置構成について説明する。
【００４２】
図７は、本発明における端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル
測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【００４３】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【００４４】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【００４５】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従ってＰＤＳＣＨを受信するよう、制御部１０３を介して受信部１０５を制御する。
【００４６】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００４７】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００４８】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行
い、周波数領域の信号を抽出する。
【００４９】
多重分離部１０５５は、抽出した信号をＰＤＣＣＨ、ＰＤＳＣＨ、および下りリンク参照信号に、それぞれ分離する。多重分離部１０５５は、分離した下りリンク参照信号をチャネル測定部１０５９に出力する。
【００５０】
復調部１０５３は、ＰＤＣＣＨ、および、ＰＤＳＣＨに対して、ＱＰＳＫ、１６ＱＡＭ（Quadrature Amplitude Modulation）、６４ＱＡＭ等の変調方式に対する復調を行ない
、復号化部１０５１へ出力する。
【００５１】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【００５２】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。
【００５３】
図８は、本発明における符号化部１０７１の構成を示す概略ブロック図である。符号化部１０７１は、データ符号化部１０７１ａ、チャネル状態情報符号化部１０７１ｂ、ＨＡＲＱ−ＡＣＫ符号化部１０７１ｃ、および、多重・インタリーブ部１０７１ｄを含む。
【００５４】
データ符号化部１０７１ａは、上位層１０１から入力された上りリンクデータａｉに上りリンクデータから生成されたＣＲＣパリティビットを付加し、当該ＣＲＣパリティビットが付加された上りリンクデータに誤り訂正符号化を適用し、上りリンクデータの符号化ビットｆｉを多重・インタリーブ部１０７１ｄへ出力する。Ａは上りリンクデータのペイロードサイズ（ビット数）である。Ｆは上りリンクデータの符号化ビット数である。
【００５５】
チャネル状態情報符号化部１０７１ｂは、チャネル状態情報ｏｉを符号化する。チャネル状態情報がＰＵＳＣＨを用いて送信される場合、チャネル状態情報符号化部１０７１ｂは、チャネル状態情報の符号化ビットｑiを多重・インタリーブ部１０７１ｄへ出力する
。チャネル状態情報がＰＵＣＣＨを用いて送信される場合、チャネル状態情報符号化部１０７１ｂは、チャネル状態情報の符号化ビットｑiをＰＵＣＣＨ生成部１０７５へ出力す
る。Ｏはチャネル状態情報のビット数である。Ｑはチャネル状態情報の符号化ビット数である。
【００５６】
ＨＡＲＱ−ＡＣＫ符号化部１０７１ｃは、ＨＡＲＱ−ＡＣＫｂｉを符号化する。ＨＡＲＱ−ＡＣＫがＰＵＳＣＨを用いて送信される場合、ＨＡＲＱ−ＡＣＫ符号化部１０７１ｃは、ＨＡＲＱ−ＡＣＫの符号化ビットｇiを多重・インタリーブ部１０７１ｄへ出力する
。ＨＡＲＱ−ＡＣＫがＰＵＣＣＨを用いて送信される場合、ＨＡＲＱ−ＡＣＫ符号化部１０７１ｃは、ＨＡＲＱ−ＡＣＫの符号化ビットｇiをＰＵＣＣＨ生成部１０７５へ出力す
る。ＢはＨＡＲＱ−ＡＣＫのビット数である。ＧはＨＡＲＱ−ＡＣＫの符号化ビット数である。
【００５７】
符号化部１０７１は、ＳＲをＰＵＣＣＨ生成部１０７５へ出力する。
【００５８】
多重・インタリーブ部１０７１ｄは、上りリンクデータの符号化ビットｆi、チャネル
状態情報の符号化ビットｑi、および／または、ＨＡＲＱ−ＡＣＫの符号化ビットｇiを多重およびインタリーブし、連結された符号化ビットｈiをＰＵＳＣＨ生成部１０７３へ出
力する。
【００５９】
図９は、本実施形態における符号化変調シンボルのインタリーブの方法の一例を示す図である。符号化変調シンボルは、符号化ビットのグループである。１つの符号化シンボルが変調されることによって１つの変調シンボルが生成される。１つの符号化変調シンボル
は、上りリンクデータに対する変調方式の変調次数Ｑｍと同じ数の符号化ビットを含む。
【００６０】
図９において、ＰＵＳＣＨ／ｓＰＵＳＣＨがマップされるＳＣ−ＦＤＭＡシンボルの数と同じ数の列がある。ただし、４番目のＳＣ−ＦＤＭＡシンボルは上りリンク参照信号の送信のために用いられるため、４列目に符号化変調シンボルは配置されない。図９において、上りリンクグラントによって割り当てを示されたＰＵＳＣＨ／ｓＰＵＳＣＨのサブキャリアの数と同じ数の行がある。
【００６１】
ＰＵＳＣＨ信号生成部１０７３において、図９の同一の列に配置される符号化変調シンボルに対応する複数の変調シンボルは、ともに離散フーリエ変換（Transform Precoding
）され、ＤＦＴされた信号は上りリンクグラントによって無線リソースの割り当てを示されたＰＵＳＣＨ／ｓＰＵＳＣＨのリソースエレメントに配置される。ｉ列目の符号化シンボルから生成されたＤＦＴされた信号はｉ番目のＳＣ−ＦＤＭＡシンボルに対応するリソースエレメントに配置される。
【００６２】
ＰＵＳＣＨ生成部１０７３は、符号化部１０７１から入力された符号化ビットｈiを変
調して変調シンボルを生成し、変調シンボルをＤＦＴすることによってＰＵＳＣＨ／ｓＰＵＳＣＨの信号を生成し、尚且つ、ＤＦＴされたＰＵＳＣＨ／ｓＰＵＳＣＨの信号を多重部１０７７へ出力する。
【００６３】
ＰＵＣＣＨ生成部１０７５は、符号化部１０７１から入力された符号化ビットqi／gi、および／または、ＳＲに基づいて、ＰＵＣＣＨ／ｓＰＵＣＣＨの信号を生成し、生成したＰＵＣＣＨ／ｓＰＵＣＣＨの信号を多重部１０７７へ出力する。
【００６４】
上りリンク参照信号生成部１０７１１は上りリンク参照信号を生成し、生成した上りリンク参照信号を多重部１０７７へ出力する。
【００６５】
多重部１０７５は、制御部１０３から入力された制御信号に従って、ＰＵＳＣＨ生成部１０７３から入力された信号および／またはＰＵＣＣＨ生成部か１０７５ら入力された信号、および／または、上りリンク参照信号生成部１０７１１から入力された上りリンク参照信号を、送信アンテナポート毎に上りリンクのリソースエレメントに多重する。
【００６６】
無線送信部１０７７は、多重された信号を逆高速フーリエ変換（Inverse Fast Fourier
Transform: IFFT）して、ＳＣ−ＦＤＭＡ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００６７】
以下、本発明の基地局装置３の装置構成について説明する。
【００６８】
図１０は、本発明における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００６９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００７０】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を
生成し、又は上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【００７１】
上位層処理部３０１が備えるスケジューリング部３０１３は、移動局装置１に割り当てるＰＵＳＣＨやＰＵＣＣＨの無線リソースの管理をしている。スケジューリング部３０１３は、移動局装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【００７２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００７３】
受信部３０５は、制御部３０３から入力された制御信号に従って、送受信アンテナ３０９を介して移動局装置１から受信した受信信号を分離、復調、復号し、復号した情報を上位層処理部３０１に出力する。
【００７４】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【００７５】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００７６】
多重分離部３０５５は、分離したＰＵＣＣＨとＰＵＳＣＨの信号から、上りリンクデータの変調シンボルと上りリンク制御情報（ＨＡＲＱ−ＡＣＫ）の変調シンボルを取得する。多重分離部３０５５は、ＰＵＳＣＨの信号から取得した上りリンクデータの変調シンボルをデータ復調／復号部３０５１へ出力する。多重分離部３０５５は、ＰＵＣＣＨの信号またはＰＵＳＣＨの信号から取得した上りリンク制御情報（ＨＡＲＱ−ＡＣＫ）の変調シンボルを制御情報復調／復号部３０５３へ出力する。
【００７７】
チャネル測定部３０５９は、多重分離部３０５５から入力された上りリンク参照信号か
ら伝搬路の推定値、チャネルの品質などを測定し、多重分離部３０５５および上位層処理部３０１に出力する。
【００７８】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【００７９】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【００８０】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重して、送受信アンテナ３０９を介して移動局装置１に信号を送信する。
【００８１】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。
【００８２】
下りリンク参照信号生成部３０７９は下りリンク参照信号として生成する。多重部３０７５は、各チャネルの変調シンボルと下りリンク参照信号を多重する。
【００８３】
無線送信部３０７７は、多重された変調シンボルなどを逆高速フーリエ変換（Inverse Fast Fourier Transform: IFFT）して、ＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up
convert）し、余分な周波数成分を除去し、電力増幅し、送受信アンテナ３０９に出力して送信する。
【００８４】
端末装置１、および、基地局装置３に含まれる部のそれぞれは、回路として構成されてもよい。
【００８５】
図１１は、本実施形態におけるＰＵＣＣＨ／ＰＵＳＣＨ／ｓＰＵＳＣＨに対する処理期間の一例を示す図である。図１１において、横軸は時間である。Ｔｘ１はＰＵＳＣＨ送信である。Ｔｘ２からＴｘ１４は、ｓＰＵＳＣＨ送信である。Ｔｘ１からＴｘ１４は、１つのサブフレームに対応する。
【００８６】
ＰＵＣＣＨ送信処理期間は、ＰＵＣＣＨ送信のための送信処理が行われる期間である。ＵＧｉはＴｘｉをスケジューリングするために用いられる上りリンクグラントを含むＰＤＣＣＨ／ｓＰＤＣＣＨである。ＲＰｉは、ＵＧｉのための受信処理が行われる期間である。端末装置１は、ＲＰｉにおいて上りリンクグラントを含むＰＤＣＣＨ／ｓＰＤＣＣＨの復号、および、ＣＲＣ（Cyclic Redundancy Check）チェックを行う。端末装置１は、Ｃ
ＲＣチェックの成功に基づいて、自装置宛てのＰＤＣＣＨ／ｓＰＤＣＣＨの検出に成功したとみなす。端末装置１がＵＧ１からＵＧ１４のそれぞれの検出に成功したとみなすタイミングは異なってもよい。
【００８７】
ＴＰｉは、受信した上りリンクグラントに基づいてＴｘｉのための送信処理が行われる
期間である。ＴＰｉの長さは、対応するＴｘｉの長さに関連してもよい。対応するＴｘｉの長さが短くなるほど、ＴＰｉの長さは短くなってもよい。
【００８８】
本実施形態における送信処理は、（ｉ）符号化処理、（ｉｉ）変調シンボル生成処理、（ｉｉｉ）離散フーリエ変換（Transform Precoding）処理、（ｉｖ）リソースエレメン
ト多重処理、（ｖ）ベースバンド信号生成処理などを含んでもよい。
【００８９】
ＰＵＣＣＨ送信は、ＰＵＣＣＨを用いた上りリンク制御情報（周期的なチャネル状態情報報告、および／または、ＨＡＲＱ−ＡＣＫ）の送信であってもよい。ｓＰＵＣＣＨ送信は、ｓＰＵＣＣＨを用いた上りリンク制御情報（周期的なチャネル状態情報報告、および／または、ＨＡＲＱ−ＡＣＫ）の送信であってもよい。ＰＵＳＣＨ送信は、ＰＵＳＣＨを用いたトランスポートブロックの送信であってもよい。ｓＰＵＳＣＨ送信は、ｓＰＵＳＣＨを用いたトランスポートブロックの送信であってもよい。
【００９０】
１つのサービングセル（１つのキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じＳＣ−ＦＤＭＡシンボル」において発生した場合、以下の要素Ｂから要素Ｌの一部、または、全部に少なくとも基づいて、当該送信の一部はドロップされてもよい。
【００９１】
１つのサービングセル（１つのキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じサブフレーム」において発生した場合、以下の要素Ｂから要素Ｌの一部、または、全部に少なくとも基づいて、当該送信の一部はドロップされてもよい。
【００９２】
端末装置１は、同じ要素における２つの送信に対する２つの値の差に基づいて、当該送信の一部をドロップしてもよい。
■要素Ａ：送信が行われるサービングセルのセルインデックス（ServCellIndex）
■要素Ｂ：送信の帯域幅
■要素Ｃ：送信の長さ（ＳＣ−ＦＤＭＡシンボルの数）
■要素Ｄ：送信が開始されるＳＣ−ＦＤＭＡシンボル
■要素Ｅ：送信が終了されるＳＣ−ＦＤＭＡシンボル
■要素Ｆ：送信のサブキャリア間隔
■要素Ｇ：ＰＵＳＣＨ／ｓＰＵＳＣＨ送信に対応する上りリンクグラントに含まれるフィールドの値
■要素Ｈ：送信される上りリンクデータのサイズ（ビット数）
■要素Ｉ：送信される上りリンクデータの符号化率
■要素Ｊ：送信される上りリンク制御情報のビット数
■要素Ｋ：送信される上りリンク制御情報の符号化率
■要素Ｌ：送信される上りリンク制御情報のタイプ（ＨＡＲＱ−ＡＣＫ、ＣＳＩ、ＳＲ）
要素Ａから要素Ｆのそれぞれにおける送信は、ＰＵＣＣＨ送信、ｓＰＵＣＣＨ送信、ＰＵＳＣＨ送信、ｓＰＵＳＣＨ送信、ＰＤＣＣＨ／ＥＰＤＣＣＨ／ｓＰＤＣＣＨ送信の一部、または、全部を含んでもよい。要素Ａから要素Ｆにおける送信のそれぞれは、異なるチャネルの送信を含んでもよい。要素Ａから要素Ｆにおける送信のそれぞれは、同じチャネルの送信を含んでもよい。ここで、当該ＰＤＣＣＨ／ＥＰＤＣＣＨ／ｓＰＤＣＣＨ送信は、ＰＵＳＣＨ／ｓＰＵＳＣＨ送信に対応する上りリンクグラントを含む。
【００９３】
セルインデックスは、サービングセルを識別するために用いられる。プライマリセルのセルインデックスは‘０’である。セカンダリセルのセルインデックスは‘０’より大きい整数である。セカンダリセルのセルインデックスは、基地局装置３によって送信される情報／パラメータによって示されてもよい。
【００９４】
１つのサービングセル（１つのキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じＳＣ−ＦＤＭＡシンボル」において発生した場合、上記の要素Ｂから要素Ｌの一部、または、全部に少なくとも基づいて、上りリンク制御情報の送信のために用いられるチャネルが選択されてもよい。ここで、上りリンク制御情報を含むチャネル送信以外の送信はドロップされなくてもよい。
【００９５】
１つのサービングセル（１つのキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じサブフレーム」において発生した場合、上記の要素Ｂから要素Ｌの一部、または、全部に少なくとも基づいて、上りリンク制御情報の送信のために用いられるチャネルが選択されてもよい。ここで、上りリンク制御情報を含むチャネル送信以外の送信はドロップされなくてもよい。
【００９６】
複数のサービングセル（複数のキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じＳＣ−ＦＤＭＡシンボル」において発生した場合、上記の要素Ａから要素Ｌの一部、または、全部に少なくとも基づいて、当該送信の一部はドロップされてもよい。
【００９７】
複数のサービングセル（複数のキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じサブフレーム」において発生した場合、上記の要素Ａから要素Ｌの一部、または、全部に少なくとも基づいて、当該送信の一部はドロップされてもよい。
【００９８】
複数のサービングセル（複数のキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じＳＣ−ＦＤＭＡシンボル」において発生した場合、上記の要素Ａから要素Ｌの一部、または、全部に少なくとも基づいて、上りリンク制御情報の送信のために用いられるチャネルが選択されてもよい。ここで、上りリンク制御情報を含むチャネル送信以外の送信はドロップされなくてもよい。
【００９９】
複数のサービングセル（複数のキャリア）において、ＰＵＣＣＨを用いた上りリンク制御情報の１つまたは複数の送信、ｓＰＵＣＣＨを用いた上りリンク制御情報の１つまたは複数の送信、ＰＵＳＣＨを用いた１つまたは複数の送信、および／または、ｓＰＵＳＣＨを用いた１つまたは複数の送信が「同じサブフレーム」において発生した場合、上記の要素Ａから要素Ｌの一部、または、全部に少なくとも基づいて、上りリンク制御情報の送信のために用いられるチャネルが選択されてもよい。ここで、上りリンク制御情報を含むチャネル送信以外の送信はドロップされなくてもよい。
【０１００】
以下、図１２から図１６を用いて、チャネルのドロップ／選択の例を説明する。
【０１０１】
図１２は、本実施形態におけるチャネルのドロップ／選択の一例を示す図である。図１２において、プライマリセルにおける同じサブフレーム／同じＳＣ−ＦＤＭＡシンボルにおいて、ＰＵＣＣＨ送信、および、７シンボルｓＰＵＳＣＨ送信Ｔｘ３が発生する。端末装置１は、７シンボルｓＰＵＳＣＨ送信Ｔｘ３に対応する上りリンクグラントＵＧ３を含むＰＤＣＣＨ／ＥＰＤＣＣＨ／ｓＰＤＣＣＨを検出した後に、ＰＵＣＣＨ送信処理をストップしてもよい。端末装置１は、７シンボルｓＰＵＳＣＨ送信Ｔｘ３を用いて当該ＰＵＣＣＨ送信に対応する上りリンク制御情報を送信してもよい。
【０１０２】
図１３は、本実施形態におけるチャネルのドロップ／選択の一例を示す図である。図１３において、プライマリセルにおけるサブフレーム／ＳＣ−ＦＤＭＡシンボルにおいて、ＰＵＣＣＨ送信、および、２シンボルｓＰＵＳＣＨ送信Ｔｘ１３が発生する。端末装置１は、２シンボルｓＰＵＳＣＨ送信Ｔｘ１３に対応する上りリンクグラントＵＧ１３を含むＰＤＣＣＨ／ＥＰＤＣＣＨ／ｓＰＤＣＣＨを検出した後に、ＰＵＣＣＨ送信が開始されていたとしても、ＰＵＣＣＨ送信をストップしてもよい。端末装置１は、２シンボルｓＰＵＳＣＨ送信Ｔｘ１３を用いて当該ＰＵＣＣＨ送信に対応する上りリンク制御情報を送信してもよい。端末装置１は、ＰＵＣＣＨ送信処理が終了しとしても、２シンボルｓＰＵＳＣＨ送信Ｔｘ１３を用いて当該ＰＵＣＣＨ送信に対応する上りリンク制御情報を送信するために、符号化前の上りリンク制御情報をＰＵＣＣＨ送信が完了するまで記憶していてもよい。または、端末装置１は、２シンボルｓＰＵＳＣＨ送信Ｔｘ１３を用いて当該ＰＵＣＣＨ送信に対応する上りリンク制御情報を送信しなくてもよい。
【０１０３】
図１４は、本実施形態におけるチャネルのドロップ／選択の一例を示す図である。図１４において、プライマリセルにおけるサブフレーム／ＳＣ−ＦＤＭＡシンボルにおいて、ＰＵＣＣＨ送信、および、７シンボルｓＰＵＳＣＨ送信Ｔｘ２、Ｔｘ３が発生する。ここで、７シンボルｓＰＵＳＣＨ送信Ｔｘ２、Ｔｘ３は、同じＳＣ−ＦＤＭＡシンボルにおいて発生していない。端末装置１は、７シンボルｓＰＵＳＣＨ送信Ｔｘ２に対応する上りリンクグラントＵＧ２を含むＰＤＣＣＨ／ＥＰＤＣＣＨ／ｓＰＤＣＣＨを検出した後に、ＰＵＣＣＨ送信処理をストップしてもよい。端末装置１は、７シンボルｓＰＵＳＣＨ送信Ｔｘ２を用いて当該ＰＵＣＣＨ送信に対応する上りリンク制御情報を送信してもよい。端末装置１は、７シンボルｓＰＵＳＣＨ送信Ｔｘ３に対応する上りリンクグラントＵＧ３を含むＰＤＣＣＨ／ＥＰＤＣＣＨ／ｓＰＤＣＣＨを検出したとしても、７シンボルｓＰＵＳＣＨ送信Ｔｘ３を用いて当該ＰＵＣＣＨ送信に対応する上りリンク制御情報を送信しない。７シンボルｓＰＵＳＣＨ送信Ｔｘ３に対応する上りリンクグラントＵＧ３を含むＰＤＣＣＨ／ＥＰＤＣＣＨ／ｓＰＤＣＣＨを検出した後に、端末装置１が７シンボルｓＰＵＳＣＨ送信Ｔｘ２を用いる上りリンク制御情報の送信を止めるためには、多重・インタリーブ部１０７１ｄの処理から送信処理をやり直す必要がある。しかし、７シンボルｓＰＵＳＣＨ送信Ｔｘ３に対応する上りリンクグラントＵＧ３を含むＰＤＣＣＨ／ＥＰＤＣＣＨ／ｓＰＤＣＣＨを検出した後に、７シンボルｓＰＵＳＣＨ送信Ｔｘ２の送信処理を行うための十分な時間はない。
【０１０４】
すなわち、端末装置１は、（ｉ）７シンボルｓＰＵＳＣＨ送信Ｔｘ２が開始されるＳＣ−ＦＤＭＡシンボルが、７シンボルｓＰＵＳＣＨ送信Ｔｘ３が開始されるＳＣ−ＦＤＭＡシンボルよりも早いこと、（ｉｉ）７シンボルｓＰＵＳＣＨ送信Ｔｘ２が終了されるＳＣ−ＦＤＭＡシンボルが、７シンボルｓＰＵＳＣＨ送信Ｔｘ３が終了されるＳＣ−ＦＤＭＡシンボルよりも早いこと、（ｉｉｉ）７シンボルｓＰＵＳＣＨ送信Ｔｘ２に対応する上りリンクグラントＵＧ２を含むＰＤＣＣＨ／ＥＰＤＣＣＨ／ｓＰＤＣＣＨ送信が開始されるＳＣ−ＦＤＭＡシンボルが、７シンボルｓＰＵＳＣＨ送信Ｔｘ３に対応する上りリンクグ
ラントＵＧ３を含むＰＤＣＣＨ／ＥＰＤＣＣＨ／ｓＰＤＣＣＨ送信が開始されるＳＣ−ＦＤＭＡシンボルよりも早いこと、および／または、（ｉｖ）７シンボルｓＰＵＳＣＨ送信Ｔｘ２に対応する上りリンクグラントＵＧ２を含むＰＤＣＣＨ／ＥＰＤＣＣＨ／ｓＰＤＣＣＨ送信が終了されるＳＣ−ＦＤＭＡシンボルが、７シンボルｓＰＵＳＣＨ送信Ｔｘ３に対応する上りリンクグラントＵＧ３を含むＰＤＣＣＨ／ＥＰＤＣＣＨ／ｓＰＤＣＣＨ送信が終了されるＳＣ−ＦＤＭＡシンボルよりも早いことに基づいて、ｓＰＵＳＣＨ送信Ｔｘ２を選択してもよい。端末装置１は、当該選択したｓＰＵＳＣＨ送信Ｔｘ２を用いて、上りリンク制御情報（周期的なチャネル状態情報報告、および／または、ＨＡＲＱ−ＡＣＫ）を送信してもよい。
【０１０５】
図１５は、本実施形態におけるチャネルのドロップ／選択の一例を示す図である。図１５において、サブフレーム／ＳＣ−ＦＤＭＡシンボルにおいて、プライマリセルにおけるＰＵＣＣＨ送信、プライマリセルにおけるＰＵＳＣＨ送信Ｔｘ０、および、プライマリセルにおけるＰＵＳＣＨ送信Ｔｘ３が発生する。図１５において、プライマリセルにおけるＰＵＣＣＨ送信、プライマリセルにおけるＰＵＳＣＨ送信Ｔｘ０、および、プライマリセルにおけるＰＵＳＣＨ送信Ｔｘ３は、同じインデックスのＳＣ−ＦＤＭＡシンボルにマップされる。端末装置１は、ＰＵＳＣＨ送信Ｔｘ０に対応する上りリンクグラントＵＧ０を含むＰＤＣＣＨ／ＥＰＤＣＣＨ／ｓＰＤＣＣＨ、および／または、ＰＵＳＣＨ送信Ｔｘ１に対応する上りリンクグラントＵＧ１を含むＰＤＣＣＨ／ＥＰＤＣＣＨ／ｓＰＤＣＣＨを検出した後に、ＰＵＣＣＨ送信処理をストップしてもよい。上りリンク制御情報が周期的なチャネル状態情報報告、および／または、ＨＡＲＱ−ＡＣＫのみを含む場合、端末装置１は、セルインデックスに基づいてＰＵＳＣＨを選択してもよい。例えば、端末装置１は、セルインデックスが最も小さいプライマリセルにおけるＰＵＳＣＨ送信Ｔｘ０を選択してもよい。端末装置１は、選択したＰＵＳＣＨ送信Ｔｘ０を用いて、当該ＰＵＣＣＨ送信に対応する上りリンク制御情報（周期的なチャネル状態情報報告、および／または、ＨＡＲＱ−ＡＣＫ）を送信してもよい。
【０１０６】
すなわち、端末装置１は、サブフレームにおいて複数のＰＵＳＣＨ送信が発生する場合、セルインデックスに基づいてＰＵＳＣＨを選択してもよい。端末装置１は、当該選択したＰＵＳＣＨ送信を用いて、上りリンク制御情報（周期的なチャネル状態情報報告、および／または、ＨＡＲＱ−ＡＣＫ）を送信してもよい。
【０１０７】
図１６は、本実施形態におけるチャネルのドロップ／選択の一例を示す図である。図１６において、サブフレーム／ＳＣ−ＦＤＭＡシンボルにおいて、プライマリセルにおけるＰＵＣＣＨ送信、プライマリセルにおける７シンボルｓＰＵＳＣＨ送信Ｔｘ２、および、セカンダリセルにおけるＰＵＳＣＨ送信Ｔｘ１が発生する。図１６において、プライマリセルにおけるＰＵＣＣＨ送信、プライマリセルにおけるＰＵＳＣＨ送信Ｔｘ０、および、プライマリセルにおけるＰＵＳＣＨ送信Ｔｘ３は、同じインデックスのＳＣ−ＦＤＭＡシンボルから開始される。端末装置１は、ＰＵＳＣＨ送信Ｔｘ１に対応する上りリンクグラントＵＧ１を含むＰＤＣＣＨ／ＥＰＤＣＣＨ／ｓＰＤＣＣＨを検出した後に、ＰＵＣＣＨ送信処理をストップしてもよい。端末装置１は、ＰＵＳＣＨ送信Ｔｘ１を用いて当該ＰＵＣＣＨ送信に対応する上りリンク制御情報を送信してもよい。端末装置１は、７シンボルｓＰＵＳＣＨ送信Ｔｘ２に対応する上りリンクグラントＵＧ２を含むＰＤＣＣＨ／ＥＰＤＣＣＨ／ｓＰＤＣＣＨを検出したとしても、７シンボルｓＰＵＳＣＨ送信Ｔｘ２を用いて当該ＰＵＣＣＨ送信に対応する上りリンク制御情報を送信しない。７シンボルｓＰＵＳＣＨ送信Ｔｘ２に対応する上りリンクグラントＵＧ２を含むＰＤＣＣＨ／ＥＰＤＣＣＨ／ｓＰＤＣＣＨを検出した後に、端末装置１がＰＵＳＣＨ送信Ｔｘ１を用いる上りリンク制御情報の送信を止めるためには、多重・インタリーブ部１０７１ｄの処理から送信処理をやり直す必要がある。しかし、７シンボルｓＰＵＳＣＨ送信Ｔｘ２に対応する上りリンクグラントＵＧ２を含むＰＤＣＣＨ／ＥＰＤＣＣＨ／ｓＰＤＣＣＨを検出した後に、ＰＵＳＣ
Ｈ送信Ｔｘ１の送信処理を行うための十分な時間はない。
【０１０８】
すなわち、端末装置１は、サブフレームにおいてＰＵＳＣＨ送信、および、ｓＰＵＳＣＨ送信が発生する場合、セルインデックスに関わらず、ＰＵＳＣＨを選択してもよい。端末装置１は、当該選択したＰＵＳＣＨ送信を用いて、上りリンク制御情報（周期的なチャネル状態情報報告、および／または、ＨＡＲＱ−ＡＣＫ）を送信してもよい。すなわち、端末装置１は、ＰＵＳＣＨ送信Ｔｘ１の長さ、７シンボルｓＰＵＳＣＨ送信Ｔｘ２の長さ、ＰＵＳＣＨ送信Ｔｘ１が開始されるＳＣ−ＦＤＭＡシンボル、および／または、７シンボルｓＰＵＳＣＨ送信Ｔｘ２が開始されるＳＣ−ＦＤＭＡシンボルに基づいて、チャネルを選択してもよい。
【０１０９】
ここで、図１２から図１６の例において、上りリンク制御情報がＳＲである場合、端末装置１はＸシンボルｓＰＵＳＣＨ送信、または、ＰＵＳＣＨ送信を用いて当該上りリンク制御情報を送信しなくてもよい。
【０１１０】
非周期的なチャネル状態情報報告が行われるサブフレームにおいて、周期的なチャネル状態情報報告がドロップされるかどうかは、上記の要素Ａから要素Ｌの一部、または、全部に少なくとも基づいて決定されてもよい。以下、図１２から図１６における非周期的なチャネル状態情報報告の一例について説明する。上記で説明した図１２から図１６の動作に関しては、説明の簡略化のために以下では説明をしない。
【０１１１】
図１２において、上りリンクグラントＵＧ３に含まれるフィールドの値が非周期的なチャネル状態情報報告をトリガーするようにセットされている場合、周期的なチャネル状態情報の報告はドロップされ、尚且つ、７シンボルｓＰＵＳＣＨ送信Ｔｘ３を用いて、非周期的なチャネル状態情報報告を少なくとも含む上りリンク制御情報が送信されてもよい。
【０１１２】
図１３において、上りリンクグラントＵＧ１３に含まれるフィールドの値が非周期的なチャネル状態情報報告をトリガーするようにセットされている場合、周期的なチャネル状態情報の報告はドロップされ、尚且つ、２シンボルｓＰＵＳＣＨ送信Ｔｘ１３を用いて、非周期的なチャネル状態情報報告を少なくとも含む上りリンク制御情報が送信されてもよい。
【０１１３】
図１４において、上りリンクグラントＵＧ２に含まれるフィールドの値が非周期的なチャネル状態情報報告をトリガーするようにセットされている場合、周期的なチャネル状態情報の報告はドロップされ、尚且つ、７シンボルｓＰＵＳＣＨ送信Ｔｘ２を用いて、非周期的なチャネル状態情報報告を少なくとも含む上りリンク制御情報が送信されてもよい。
【０１１４】
図１４において、ｓＰＵＳＣＨ送信Ｔｘ３に対応する上りリンクグラントＵＧ３のフィールドの値が悲周期的なチャネル状態情報報告をトリガーするようにセットされている場合、端末装置１は、ｓＰＵＳＣＨ送信Ｔｘ３を選択し、尚且つ、選択したＰＵＳＣＨ送信Ｔｘ３を用いて、非周期的なチャネル状態情報報告を少なくとも含む上りリンク制御情報を送信してもよい。ここで、周期的なチャネル状態情報報告はドロップされない。すなわち、ＰＵＣＣＨ送信に対応する上りリンク制御情報（周期的なチャネル状態情報報告、および／または、ＨＡＲＱ−ＡＣＫ）は、７シンボルｓＰＵＳＣＨ送信Ｔｘ２を用いて送信されてもよい。
【０１１５】
図１５において、上りリンクグラントＵＧ０に含まれるフィールドの値が非周期的なチャネル状態情報報告をトリガーするようにセットされている場合、周期的なチャネル状態情報の報告はドロップされ、尚且つ、ＰＵＳＣＨ送信Ｔｘ０を用いて、非周期的なチャネル状態情報報告を少なくとも含む上りリンク制御情報が送信されてもよい。
【０１１６】
図１５において、ＰＵＳＣＨ送信Ｔｘ１に対応する上りリンクグラントＵＧ１のフィールドの値が悲周期的なチャネル状態情報報告をトリガーするようにセットされている場合、端末装置１は、ＰＵＳＣＨ送信Ｔｘ１を選択し、尚且つ、選択したＰＵＳＣＨ送信Ｔｘ１を用いて、上りリンク制御情報（非周期的なチャネル状態情報報告、および／または、ＨＡＲＱ−ＡＣＫ）を送信してもよい。ここで、周期的なチャネル状態情報報告はドロップされる。すなわち、ＰＵＣＣＨ送信に対応する上りリンク制御情報（周期的なチャネル状態情報報告、および／または、ＨＡＲＱ−ＡＣＫ）は、ＰＵＳＣＨ送信Ｔｘ０を用いて送信されない。
【０１１７】
図１６において、上りリンクグラントＵＧ１に含まれるフィールドの値が非周期的なチャネル状態情報報告をトリガーするようにセットされている場合、周期的なチャネル状態情報の報告はドロップされ、尚且つ、ＰＵＳＣＨ送信Ｔｘ１を用いて、非周期的なチャネル状態情報報告を少なくとも含む上りリンク制御情報が送信されてもよい。
【０１１８】
図１６において、ｓＰＵＳＣＨ送信Ｔｘ２に対応する上りリンクグラントＵＧ２のフィールドの値が悲周期的なチャネル状態情報報告をトリガーするようにセットされている場合、端末装置１は、ｓＰＵＳＣＨ送信Ｔｘ２を選択し、尚且つ、選択したＰＵＳＣＨ送信Ｔｘ２を用いて、非周期的なチャネル状態情報報告を少なくとも含む上りリンク制御情報を送信してもよい。ここで、周期的なチャネル状態情報報告はドロップされない。すなわち、ＰＵＣＣＨ送信に対応する上りリンク制御情報（周期的なチャネル状態情報報告、および／または、ＨＡＲＱ−ＡＣＫ）は、７シンボルｓＰＵＳＣＨ送信Ｔｘ１を用いて送信されてもよい。
【０１１９】
本実施形態の端末装置１は、ＰＵＣＣＨおよびＰＵＳＣＨ同時送信が設定されていない。ＰＵＣＣＨおよびＰＵＳＣＨ同時送信が設定されている場合、本実施形態とは異なる処理が適用されてもよい。
【０１２０】
以下、本実施形態における、端末装置１および基地局装置３の種々の態様について説明する。
【０１２１】
（１）本実施形態の第１の態様は、端末装置１であって、１つのサービングセルにおける１つのサブフレームにおける複数のｓＰＵＳＣＨをスケジュールするために用いられる複数の上りリンクグラントを受信する受信部１０５と、前記複数のｓＰＵＳＣＨのうち、最初に送信が開始される１つを用いて上りリンク制御情報を送信する送信部１０７と、を備える。
【０１２２】
（２）本実施形態の第１の態様において、前記最初に送信が開始される１つを除く前記複数のｓＰＵＳＣＨを用いて、上りリンク制御情報をともなわない上りリンクデータが送信される
（３）本実施形態の第１の態様において、前記複数のｓＰＵＳＣＨは、同時に送信されない。
【０１２３】
（４）本実施形態の第１の態様において、前記上りリンク制御情報は、周期的なチャネル状態情報報告、および／または、ＨＡＲＱ−ＡＣＫを含む。
【０１２４】
（５）本実施形態の第２の態様は、基地局装置３であって、１つのサービングセルにおける１つのサブフレームにおける複数のｓＰＵＳＣＨをスケジュールするために用いられる複数の上りリンクグラントを送信する送信部３０７と、前記複数のｓＰＵＳＣＨのうち、最初に送信が開始される１つを用いて上りリンク制御情報を受信する受信部３０５と、
を備える。
【０１２５】
（６）本実施形態の第２の態様において、前記最初に送信が開始される１つを除く前記複数のｓＰＵＳＣＨを用いて、上りリンク制御情報をともなわない上りリンクデータが受信される。
【０１２６】
（７）本実施形態の第２の態様において、前記複数のｓＰＵＳＣＨは、同時に受信されない。
【０１２７】
（８）本実施形態の第２の態様において、前記上りリンク制御情報は、周期的なチャネル状態情報報告、および／または、ＨＡＲＱ−ＡＣＫを含む。
【０１２８】
（９）本実施形態の第３の態様は、端末装置１であって、ＰＵＳＣＨをスケジュールするために用いられる上りリンクグラントと、ｓＰＵＳＣＨをスケジュールするために用いられる上りリンクグラントを受信する受信部１０５と、前記ＰＵＳＣＨ、および／または、前記ｓＰＵＳＣＨを用いて上りリンク制御情報を送信する送信部１０７と、を備え、前記送信部１０７は、第１のサブフレームにおけるプライマリセルにおいてｓＰＵＳＣＨの送信を行い、尚且つ、前記第１のサブフレームにおけるセカンダリセルにおいてＰＵＳＣＨの送信を行う第１の場合、前記第１のサブフレームにおける前記セカンダリセルにおける前記ＰＵＳＣＨを用いて、前記上りリンク制御情報を送信する。
【０１２９】
（１０）本実施形態の第３の態様において、前記送信部１０７は、第２のサブフレームにおける前記プライマリセルにおいてＰＵＳＣＨの送信を行い、尚且つ、前記第２のサブフレームにおける前記セカンダリセルにおいてＰＵＳＣＨの送信を行う第２の場合、前記第２のサブフレームにおける前記プライマリセルにおけるＰＵＳＣＨを用いて、前記上りリンク制御情報を送信する。
【０１３０】
（１１）本実施形態の第３の態様において、前記プライマリセルのセルインデックスは‘０’であり、前記セカンダリセルのセルインデックスは‘０’よりも大きい整数である。
【０１３１】
（１２）本実施形態の第３の態様において、前記上りリンク制御情報は、周期的なチャネル状態情報報告、および／または、ＨＡＲＱ−ＡＣＫを含む。
【０１３２】
（１３）本実施形態の第３の態様において、前記第１の場合において、前記第１のサブフレームにおける前記プライマリセルにおける前記ｓＰＵＳＣＨを用いて、非周期的なチャネル状態情報報告が行われるならば、前記周期的なチャネル状態情報報告はドロップされず、前記第１の場合において、前記第１のサブフレームにおける前記セカンダリセルにおける前記ＰＵＳＣＨを用いて、非周期的なチャネル状態情報報告が行われるならば、前記周期的なチャネル状態情報報告はドロップされる。
【０１３３】
（１４）本実施形態の第３の態様において、前記第２の場合において、前記第２のサブフレームにおける前記プライマリセルにおける前記ＰＵＳＣＨを用いて、非周期的なチャネル状態情報報告が行われるならば、前記周期的なチャネル状態情報報告はドロップされ、前記第２の場合において、前記第２のサブフレームにおける前記セカンダリセルにおける前記ＰＵＳＣＨを用いて、非周期的なチャネル状態情報報告が行われるならば、前記周期的なチャネル状態情報報告はドロップされる。
【０１３４】
（１５）本実施形態の第４の態様は、基地局装置３であって、ＰＵＳＣＨをスケジュールするために用いられる上りリンクグラントと、ｓＰＵＳＣＨをスケジュールするために
用いられる上りリンクグラントを送信する送信部３０７と、前記ＰＵＳＣＨ、および／または、前記ｓＰＵＳＣＨを用いて上りリンク制御情報を受信する受信部３０５と、を備え、前記受信部３０５は、第１のサブフレームにおけるプライマリセルにおいてｓＰＵＳＣＨの受信を行い、尚且つ、前記第１のサブフレームにおけるセカンダリセルにおいてＰＵＳＣＨの受信を行う第１の場合、前記第１のサブフレームにおける前記セカンダリセルにおける前記ＰＵＳＣＨを用いて、前記上りリンク制御情報を受信する。
【０１３５】
（１６）本実施形態の第４の態様において、前記受信部３０５は、第２のサブフレームにおける前記プライマリセルにおいてＰＵＳＣＨの受信を行い、尚且つ、前記第２のサブフレームにおける前記セカンダリセルにおいてＰＵＳＣＨの受信を行う第２の場合、前記第２のサブフレームにおける前記プライマリセルにおけるＰＵＳＣＨを用いて、前記上りリンク制御情報を受信する。
【０１３６】
（１７）本実施形態の第４の態様において、前記プライマリセルのセルインデックスは‘０’であり、前記セカンダリセルのセルインデックスは‘０’よりも大きい整数である。
【０１３７】
（１８）本実施形態の第４の態様において、前記上りリンク制御情報は、周期的なチャネル状態情報報告、および／または、ＨＡＲＱ−ＡＣＫを含む。
【０１３８】
（１９）本実施形態の第４の態様において、前記第１の場合において、前記第１のサブフレームにおける前記プライマリセルにおける前記ｓＰＵＳＣＨを用いて、非周期的なチャネル状態情報報告が行われるならば、前記周期的なチャネル状態情報報告はドロップされず、前記第１の場合において、前記第１のサブフレームにおける前記セカンダリセルにおける前記ＰＵＳＣＨを用いて、非周期的なチャネル状態情報報告が行われるならば、前記周期的なチャネル状態情報報告はドロップされる。
【０１３９】
（２０）本実施形態の第４の態様において、前記第２の場合において、前記第２のサブフレームにおける前記プライマリセルにおける前記ＰＵＳＣＨを用いて、非周期的なチャネル状態情報報告が行われるならば、前記周期的なチャネル状態情報報告はドロップされ、前記第２の場合において、前記第２のサブフレームにおける前記セカンダリセルにおける前記ＰＵＳＣＨを用いて、非周期的なチャネル状態情報報告が行われるならば、前記周期的なチャネル状態情報報告はドロップされる。
【０１４０】
（２１）本実施形態の第５の態様は、端末装置１であって、１つのサービングセルにおける１つのサブフレームにおける複数のｓＰＵＳＣＨをスケジュールするために用いられる複数の上りリンクグラントを受信する受信部１０５と、前記１つのサブフレームにおける前記複数のｓＰＵＳＣＨのうち、最初に送信が開始される１つのｓＰＵＳＣＨを用いて周期的なチャネル状態情報報告を行う送信部１０７と、を備え、前記送信部１０７は、前記複数の上りリンクグラントのうちの１つの上りリンクグラントのフィールドの値が非周期的なチャネル状態情報報告をトリガーするようにセットされている場合、前記複数のｓＰＵＳＣＨのうち、前記１つの上りリンクグラントに対応するｓＰＵＳＣＨを用いて前記非周期的なチャネル状態情報報告を行い、前記１つの上りリンクグラントに対応する前記１つのｓＰＵＳＣＨが、前記最初に送信が開始される１つのｓＰＵＳＣＨである場合、前記周期的なチャネル状態情報報告はドロップされ、前記１つの上りリンクグラントに対応する前記１つのｓＰＵＳＣＨが、前記最初に送信が開始される１つのｓＰＵＳＣＨではない場合、前記周期的なチャネル状態情報報告はドロップされない。
【０１４１】
（２２）本実施形態の第６の態様は、基地局装置３であって、１つのサービングセルにおける１つのサブフレームにおける複数のｓＰＵＳＣＨをスケジュールするために用いら
れる複数の上りリンクグラントを送信する送信部３０７と、前記１つのサブフレームにおける前記複数のｓＰＵＳＣＨのうち、最初に受信が開始される１つのｓＰＵＳＣＨを用いて周期的なチャネル状態情報報告の受信を行う受信部３０５と、を備え、前記受信部３０５は、前記複数の上りリンクグラントのうちの１つの上りリンクグラントのフィールドの値が非周期的なチャネル状態情報報告をトリガーするようにセットされている場合、前記複数のｓＰＵＳＣＨのうち、前記１つの上りリンクグラントに対応するｓＰＵＳＣＨを用いて前記非周期的なチャネル状態情報報告の受信を行い、前記１つの上りリンクグラントに対応する前記１つのｓＰＵＳＣＨが、前記最初に受信が開始される１つのｓＰＵＳＣＨである場合、前記周期的なチャネル状態情報報告はドロップされ、前記１つの上りリンクグラントに対応する前記１つのｓＰＵＳＣＨが、前記最初に受信が開始される１つのｓＰＵＳＣＨではない場合、前記周期的なチャネル状態情報報告はドロップされない。
【０１４２】
これにより、端末装置は効率的に上りリンク制御情報を送信することができる。また、基地局装置は効率的に上りリンク制御情報を受信することができる。
【０１４３】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１４４】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１４５】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１４６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４７】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１４８】
また、上述した実施形態における基地局装置３は、ＥＵＴＲＡＮ（Evolved Universal 
Terrestrial Radio Access Network）であってもよい。また、上述した実施形態における基地局装置３は、ｅＮｏｄｅＢに対する上位ノードの機能の一部または全部を有してもよい。
【０１４９】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５０】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１５１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５２】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
３０１１  無線リソース制御部
３０１３  スケジューリング部
【図１】
2019110358.tif 000003
【図２】
2019110358.tif 000004
【図３】
2019110358.tif 000005
【図４】
2019110358.tif 000006
【図５】
2019110358.tif 000007
【図６】
2019110358.tif 000008
【図７】
2019110358.tif 000009
【図８】
2019110358.tif 000010
【図９】
2019110358.tif 000011
【図１０】
2019110358.tif 000012
【図１１】
2019110358.tif 000013
【図１２】
2019110358.tif 000014
【図１３】
2019110358.tif 000015
【図１４】
2019110358.tif 000016
【図１５】
2019110358.tif 000017
【図１６】
2019110358.tif 000018